(57)【要約】【課題】遠赤外線放射物質粒子の含有量が遠赤外線健康用装置の素材にあまり制限されることなく、且つ、蓄熱性・保温性も良い上、該素材に遠赤外線放射物質粒子がしっかりと固定されていて脱落しにくい遠赤外線健康用装置を提供することを目的とする。【解決手段】遠赤外線放射物質粒子が混在しているコンクリート構造体３と、前記コンクリート構造体３に埋まれている加熱手段３１と、を備えている遠赤外線健康用装置を提供する。【選択図】図３
0003157189.tif 000002
【実用新案登録請求の範囲】
【請求項１】
遠赤外線放射物質粒子が混在しているコンクリート構造体と、前記コンクリート構造体に埋まれている加熱手段と、を備えていることを特徴とする遠赤外線健康用装置。
【請求項２】
前記コンクリート構造体に補強材が埋まれていることを特徴とする請求項１に記載の遠赤外線健康用装置。
【請求項３】
前記コンクリート構造体が平板体となっており、
且つ、台座が、更に、前記コンクリート構造体を下方から支持するように備えられていることを特徴とする請求項２に記載の遠赤外線健康用装置。
【請求項４】
前記コンクリート構造体の上面に、更に、蛇紋岩板が敷かれていることを特徴とする請求項３に記載の遠赤外線健康用装置。
【請求項５】
前記補強材は網鉄筋であって前記コンクリート構造体内の下面近くに展開されていることを特徴とする請求項４に記載の遠赤外線健康用装置。
【請求項６】
前記加熱手段に、加熱を恒温に制御するサーモスタットが設置されていることを特徴とする請求項５に記載の遠赤外線健康用装置。
【請求項７】
前記コンクリート構造体は前記台座の上面に形成された窪みに填め込まれており、
前記蛇紋岩板は、接着材で前記コンクリート構造体の上面に接着されていることを特徴とする請求項６に記載の遠赤外線健康用装置。
【請求項８】
前記遠赤外線放射物質粒子は、蛇紋岩、電気石、竹炭、遠赤外線セラミック及び遠赤外線放射金属からなる群より選ばれて作られた粒状のものであることを特徴とする請求項１から請求項７までのいずれか一項に記載の遠赤外線健康用装置。
【請求項９】
前記遠赤外線放射物質粒子は、波長６μｍから１４μｍまでの遠赤外線を放射する物質で作られた粒状のものであることを特徴とする請求項１から請求項７までのいずれか一項に記載の遠赤外線健康用装置。
【請求項１０】
椅子形になった、請求項１から請求項９までのいずれか一項に記載の遠赤外線健康用装置。
【請求項１１】
ベッド形になった請求項１から請求項９までのいずれか一項に記載の遠赤外線健康用装置。
【請求項１２】
キャスタ付きのベッド形になった、請求項１又は請求項２に記載の遠赤外線健康用装置。
【請求項１３】
部屋形になった、請求項１又は請求項２に記載の遠赤外線健康用装置。
【請求項１４】
壁形になった、請求項１又は請求項２に記載の遠赤外線健康用装置。
【請求項１５】
床形になった、請求項１又は請求項２に記載の遠赤外線健康用装置。
【考案の詳細な説明】
【技術分野】
【０００１】
本考案は、遠赤外線健康用装置に関するものである。
【背景技術】
【０００２】
従来の遠赤外線健康用装置８００は、図１０に示した寝具用マットを例として挙げれば、上下それぞれ２層の表地シート８２０と２層の裏地シート８１０とで加熱手段８３０と遠赤外線シート８５０を挟んでいる（例えば、特許文献１参照）。
【０００３】
この遠赤外線健康用装置８００は、加熱手段８３０の加熱によって遠赤外線シート８５０の遠赤外線放射を助長することができるが、その遠赤外線シート８５０は、通常、遠赤外線放射物質粒子を練り込んだ繊維による布地を用いて構成されたものであり、繊維やシートを使用することにより粒子が脱落しやすい柔軟性構造になっていることから、遠赤外線放射物質粒子の含有量が数百グラム程度に制限されるので、遠赤外線による効果が限られる上、使用毎に少しずつ布地の繊維に付着する粒子が減少する。
【０００４】
また、前記のような従来の寝具用マットは、その表地シート８２０、裏地シート８１０又は遠赤外線シート８５０の蓄熱性・保温性がよくないため、エネルギーの消費量が非常に高い、という欠点もある。
【先行技術文献】
【特許文献】
【０００５】
【特許文献１】特開平８−４０４号公報
【考案の概要】
【考案が解決しようとする課題】
【０００６】
前記問題点を解消するために、本考案は、遠赤外線放射物質粒子の含有量が遠赤外線健康用装置の素材にあまり制限されることなく、且つ、蓄熱性・保温性も良い上、該素材に遠赤外線放射物質粒子がしっかりと固定されていて脱落しにくい遠赤外線健康用装置を提供することを目的とする。
【課題を解決するための手段】
【０００７】
前記目的を達成するため、本考案は、遠赤外線放射物質粒子が混在しているコンクリート構造体と、前記コンクリート構造体に埋まれている加熱手段と、を備えている遠赤外線健康用装置を提供する。
【考案の効果】
【０００８】
前記構成による遠赤外線健康用装置は、その遠赤外線放射物質粒子を繊維からなる柔軟性のある布地に混在するのではなく、放射物質粒子それ自体をコンクリートの骨材に使用しているため、しっかりとコンクリート構造体の内部に固定することができ、使用により脱落しにくい上、製造当時により多く添加することができる。よって、遠赤外線による健康効果が従来のものより遥かに良い。
【０００９】
また、その加熱手段が蓄熱性・保温性の良いコンクリート構造体に埋まれているので、エネルギーの消費を従来より抑えることができる。
【図面の簡単な説明】
【００１０】
【図１】三つの本考案の第１の実施形態である遠赤外線健康用装置からベッド形に並んでなった健康用装置を示す図面である。
【図２】前記第１の実施形態の遠赤外線健康用装置の分解図である。
【図３】前記第１の実施形態の遠赤外線健康用装置におけるコンクリート構造体と、加熱手段と、補強材と、サーモスタットとの関係を示す図面である。
【図４】前記第１の実施形態の遠赤外線健康用装置におけるコンクリート構造体を製造するための型枠を示す図面である。
【図５】前記第１の実施形態の遠赤外線健康用装置におけるコンクリート構造体の製造過程のフローチャートである。
【図６】本考案の第２の実施形態の遠赤外線健康用装置の一部分解図である。
【図７】本考案の第３の実施形態の椅子形になった遠赤外線健康用装置を示す側面図である。
【図８】本考案の第４の実施形態の部屋形になった遠赤外線健康用装置の壁または柱を示す図面である。
【図９】本考案の第５の実施形態の部屋形になった遠赤外線健康用装置の床を示す図面である。
【図１０】従来の遠赤外線健康用装置の分解図である。
【考案を実施するための形態】
【００１１】
〔第１の実施形態〕
図１、図２及び図３に示したように、本考案の第１の実施形態である遠赤外線健康用装置は、台座１と、コンクリート構造体３と、蛇紋岩板６と、サーモスタット５と、からなっている。
【００１２】
台座１は、上枠１２と、下枠１１と、支持脚１３と、から上下の順に重なっている。支持脚１３は、四つあり、下方から下枠１１を支持している。上枠１２と下枠１１とは、共に四方形であって、互いに重箱のように重なっている上、その中にコンクリート構造体３及び蛇紋岩板６を収容する窪み１２２を形成している（図２参照）。
【００１３】
コンクリート構造体３は、平板体であって、前記窪み１２２に填め込まれている。また、コンクリート構造体３の製作過程は、図５に示したように、型枠の用意工程（Ａ）と、加熱手段及び補強材の設置工程（Ｂ）と、コンクリートの配合工程（Ｃ）と、コンクリートの注入工程（Ｄ）と、養生工程（Ｅ）と、からなる。次に、それらの工程を説明する。
【００１４】
（Ａ）型枠の用意工程
この工程（Ａ）は、コンクリート構造体３を鋳造するための型枠２（図４参照）を用意する工程である。本実施形態に用意した型枠２は、正方形木箱であるが、遠赤外線健康用装置の外形又はコンクリート構造体３の外形設計によって他の形の型枠を用意しても良い。
【００１５】
（Ｂ）加熱手段及び補強材の設置工程
この工程（Ｂ）は、加熱手段３１及び補強材３２を型枠２の内部に設置する工程である。施工の順序としては先ず補強材３２を型枠２の底板２１の上に設置し、そしてその上に加熱手段３１を設置する（加熱手段３１と補強材３２との配置関係については図３を参照する）。なお、本実施形態における加熱手段３１は、中国、深▲セン▼市星光電熱製品有限公司（ＳＨＥＮ  ＺＨＥＮ  ＸＩＮＧ  ＧＵＡＮＧ  Ｃｏ．  ＬＴＤ）製の、電磁波を放射しない無電磁波の加熱用導電線を使用したものであるので、使用者に悪い影響を及ぼさない。
【００１６】
本実施形態では、補強材３２として網鉄筋を使用したが、他にコンクリートを補強することができる剛性材料製のものを使用しても良い。
【００１７】
（Ｃ）コンクリートの配合工程
この工程（Ｃ）は、セメントと、遠赤外線放射物質粒子と、他の物質粒子と、水とを規定の割合に混合する工程である。コンクリートの配合は一般コンクリートの配合に準ずる外、骨材に遠赤外線放射物質粒子と他の物質粒子を使用する。本実施形態においては、セメントとして、ポルトランドセメントを使用し、他の物質粒子として、一般の砂石を使用した。
【００１８】
遠赤外線放射物質粒子としては、電気石粒子を使用したが、他に、蛇紋岩、竹炭、遠赤外線セラミックなどを使用しても良い。但し、波長３μｍから１０００μｍまでの波長範囲の遠赤外線を放射する物質から作られたものが好ましく、３０〜４０℃程度の温度に加熱されると、波長６μｍから１４μｍまでの健康効果をよく果たす波長範囲の遠赤外線を放射する物質から作られた直径分布３〜７μｍの粒状のものがより好ましい。また、遠赤外線放射金属粒子（Ｔａ、Ｍｏ、Ｗ、Ｆｅ、Ｎｉ、Ｐｔ、Ｃｕ、Ａｕ等）も使用できる。そしてまた、遠赤外線放射物質粒子は、そのサイズが小さいほど、遠赤外線の放射に有利であるので、直径１〜１０μｍ範囲にあるのが好ましい。
【００１９】
実務上、更に、ガラス繊維、セラミック繊維、金属繊維等をコンクリートに添加してコンクリート構造体３の強度を増加することもある。また、場合によって、減水剤又は流動化剤等の添加剤をコンクリートに添加してコンクリートを改質することもできる。
【００２０】
（Ｄ）コンクリートの注入工程
この工程（Ｄ）は、配合したコンクリートを加熱手段３１及び補強材３２を覆うように型枠２に注入して流し込んで、コンクリートの硬化まで待つ工程である。
【００２１】
（Ｅ）養生工程
この工程（Ｅ）は、ある程度硬化したコンクリートを囲む型枠２を外して、該硬化したコンクリートを更に７〜２８日、養生する工程である。養生したコンクリートは、本実施形態のコンクリート構造体３となる。
【００２２】
図３のように、本実施形態のコンクリート構造体３における補強材３２は、コンクリート構造体３内に埋まれている網鉄筋であってコンクリート構造体３内の下面近くに展開されている。
【００２３】
本実施形態の装置は、そのコンクリート構造体３が以上の製作過程で製造されたため、そのコンクリート構造体３における遠赤外線放射物質粒子がコンクリート構造体３に固定されている上、従来の柔軟性構造とは違って製作時にその添加量が制限されなかったため、従来よりかなり多く、遠赤外線放射機能が従来より遥かに優れている。なお、本考案の遠赤外線健康用装置における「遠赤外線放射物質粒子が混在しているコンクリート構造体３」の代わりに、その全体が遠赤外線放射物質粒子ばかりからなったものを使用すると、当然、遠赤外線放射物質の総重量を増やすことができるが、その場合、高温炉を利用して遠赤外線放射物質粒子を高温で焼結しなければならず、コストが本考案より一層高くなる。
【００２４】
蛇紋岩板６は、その上面が台座１における上枠１２の上端面１２１と同一面になるように前記窪み１２２に填め込まれているため使用者が坐臥する際に凸凹しない上、接着材７でコンクリート構造体３の上面に接着され敷かれているため坐臥中に不意な移動が起こらないので、坐臥の心地が良い。本考案では、接着材７の例としてセメントスラリーを使用したが、他の接着材７を使用しても良い。
【００２５】
また、蛇紋岩板６の代わりに、金属酸化物や鉄、マグネシウムなどの鉱物含有量が高い火成岩又は変成岩、或いは、遠赤外線放射物質からなった平板体を使用しても良い。そしてまた、蛇紋岩板６を使用せず、コンクリート構造体３だけ使用して、コンクリート構造体３の上面が台座１における上枠１２の上端面１２１と同一面になるように前記窪み１２２に填め込まれることもできる。
【００２６】
サーモスタット５は、加熱手段３１を制御することにより装置を恒温に維持するものであって、台座１の上枠１２に設置されている上、加熱手段３１と電気的に接続されている連接部５１０と、スイッチ５１１と、温度を設定する温度調節つまみ５１２と、使用状態を表す電源表示灯５１３と、温度コントロール機構（図にせず）と、からなっている。温度コントロール機構は、温度調節つまみ５１２からの温度設定信号及びコンクリート構造体３からの温度信号を受け、コンクリート構造体３や蛇紋岩板６の温度が設定した温度より低い場合、加熱手段３１を作動状態に維持し、コンクリート構造体３の温度が設定した温度に達した場合、加熱手段３１による作動を止めることができるように構成されている。また、サーモスタット５における温度コントロール機構は、加熱手段３１への電流をコントロールして間欠的に加熱する機能が付いていても良い。
【００２７】
サーモスタット５には、それ自体を介して加熱手段３１に電気的に接続されている電源コード５２１が設けられており、電源コード５２１の先端部には通電プラグ５２２が取り付けられている。
【００２８】
〔第２の実施形態〕
図６に示したように、第２の実施形態として挙げた遠赤外線健康用装置は、コンクリート構造体３、蛇紋岩板６及びサーモスタット５が、キャスタ付きの上枠１２に設けられている。そのため、遠赤外線健康用装置を搬送する時、上枠１２の部分は台座１から外してから押すことにより行うことができる。
【００２９】
〔第３の実施形態〕
図１及び図７に示したように、本考案の第３の実施形態である遠赤外線健康用装置は、使用者の居住まいに合わせて、数個合わせてベッド形に並べても良いし、背凭れ９及び足置き座１０の角度が調整可能な椅子形に構成しても良い。そしてまた、本考案の遠赤外線健康用装置は、搬送の容易性の点から、分解可能に構成されうる。
【００３０】
〔第４の実施形態〕
なお、本考案の遠赤外線健康用装置におけるコンクリート構造体３は、スポーツセンター或いは一般住宅につける部屋形に拵えても良い。具体的に、図８に示したように、第４の実施形態として、部屋形になった遠赤外線健康用装置においては、複数のコンクリート構造体３が、複数の固定部材４１０によって、間隔をあけて壁４１または柱の壁板４１１に固定されている。
【００３１】
〔第５の実施形態〕
図９に示したように、第５の実施形態として、部屋形になった遠赤外線健康用装置における床４２の、複数のコンクリート構造体３は、複数の支持部材４２０を介して床板４２１に支持している。
【００３２】
また、第４の実施形態または第５の実施形態における複数のコンクリート構造体３は、それぞれの加熱手段３１が、電源装置（図にせず）に電気的に接続されている。
【００３３】
そしてまた、コンクリート構造体３と壁板４１１又は床板４２１との組み合わせる技術は、一般の建築技術なので、ここではその詳細説明を省略する。
【産業上の利用可能性】
【００３４】
上述したように本考案の遠赤外線健康用装置は、その遠赤外線放射物質粒子が従来より多くてしっかりとコンクリートの内部に固定されているので、従来より健康効果が高く、使用寿命も長い。また、遠赤外線健康用装置は、加熱手段が蓄熱性・保温性の優れたコンクリート構造体に埋まれているので、エネルギーの消費を従来より抑えることができる。
【符号の説明】
【００３５】
１…台座、１１…下枠、１２…上枠、１２１…上端面、１２２…窪み、１２３…キャスタ、１３…支持脚、２…型枠、２１…底板、３…コンクリート構造体、３１…加熱手段、３２…補強材、４１…壁、４１０…固定部材、４１１…壁板、４２…床、４２０…支持部材、４２１…床板、５…サーモスタット、５１０…連接部、５１１…スイッチ、５１２…温度調節つまみ、５１３…電源表示灯、５２１…電源コード、５２２…通電プラグ、６…蛇紋岩板、７…接着材、８００…従来の遠赤外線健康用装置、８２０…表地シート、８１０…裏地シート、８３０…加熱手段、８５０…遠赤外線シート、９…背凭れ、１０…足置き座
【図１】
0003157189.tif 000003
【図２】
0003157189.tif 000004
【図３】
0003157189.tif 000005
【図４】
0003157189.tif 000006
【図５】
0003157189.tif 000007
【図６】
0003157189.tif 000008
【図７】
0003157189.tif 000009
【図８】
0003157189.tif 000010
【図９】
0003157189.tif 000011
【図１０】
0003157189.tif 000012
【手続補正書】
【提出日】平成21年11月19日(2009.11.19)
【手続補正１】
【補正対象書類名】実用新案登録請求の範囲
【補正対象項目名】全文
【補正方法】変更
【補正の内容】
【実用新案登録請求の範囲】
【請求項１】
遠赤外線放射物質粒子が混在している平板状のコンクリート構造体と、前記コンクリート構造体に埋まれている加熱手段と、を備えていることを特徴とする遠赤外線健康用装置。
【請求項２】
前記コンクリート構造体に補強材が埋まれていることを特徴とする請求項１に記載の遠赤外線健康用装置。
【請求項３】
前記コンクリート構造体が平板体となっており、
且つ、台座が、更に、前記コンクリート構造体を下方から支持するように備えられていることを特徴とする請求項２に記載の遠赤外線健康用装置。
【請求項４】
前記コンクリート構造体の上面に、更に、蛇紋岩板が敷かれていることを特徴とする請求項３に記載の遠赤外線健康用装置。
【請求項５】
前記補強材は網鉄筋であって前記コンクリート構造体内の下面近くに展開されていることを特徴とする請求項４に記載の遠赤外線健康用装置。
【請求項６】
前記加熱手段に、加熱を恒温に制御するサーモスタットが設置されていることを特徴とする請求項５に記載の遠赤外線健康用装置。
【請求項７】
前記コンクリート構造体は前記台座の上面に形成された窪みに填め込まれており、
前記蛇紋岩板は、接着材で前記コンクリート構造体の上面に接着されていることを特徴とする請求項６に記載の遠赤外線健康用装置。
【請求項８】
前記遠赤外線放射物質粒子は、蛇紋岩、電気石、竹炭、遠赤外線セラミック及び遠赤外線放射金属からなる群より選ばれて作られた粒状のものであることを特徴とする請求項１から請求項７までのいずれか一項に記載の遠赤外線健康用装置。
【請求項９】
前記遠赤外線放射物質粒子は、波長６μｍから１４μｍまでの遠赤外線を放射する物質で作られた粒状のものであることを特徴とする請求項１から請求項７までのいずれか一項に記載の遠赤外線健康用装置。
【請求項１０】
椅子形になった、請求項１から請求項９までのいずれか一項に記載の遠赤外線健康用装置。
【請求項１１】
ベッド形になった請求項１から請求項９までのいずれか一項に記載の遠赤外線健康用装置。
【請求項１２】
キャスタ付きのベッド形になった、請求項１又は請求項２に記載の遠赤外線健康用装置。
【請求項１３】
部屋形になった、請求項１又は請求項２に記載の遠赤外線健康用装置。
【請求項１４】
壁形になった、請求項１又は請求項２に記載の遠赤外線健康用装置。
【請求項１５】
床形になった、請求項１又は請求項２に記載の遠赤外線健康用装置。